(57)【要約】【課題】より簡素な構成より、オーバードライブ処理を行う。【解決手段】画素生成部１０５は、第１の動画像を構成する画像を第１の画像とし、第１の画像、及び第１の画像よりも時間的に過去の第２の画像に基づいて、第１の画像と第２の画像との間に補間される補間画像を生成し、切替部８２は、第２の動画像を構成する複数の画像を、順次、対象画像に設定するとともに、第２の動画像を構成する複数の画像のうち、対象画像よりも時間的に過去の画像を、参照画像に設定し、オーバードライブ処理部８３は、参照画像に基づいて、対象画像を、オーバードライブ処理により補正する。また、切替部８２は、対象画像及び参照画像を同期して、オーバードライブ処理部８３に出力する。本発明は、例えば、ホールド型のディスプレイに画像を表示させるパーソナルコンピュータ等に適用できる。【選択図】図２
2010261985.tif 000002
【特許請求の範囲】
【請求項１】
第１の動画像を、より高フレームレートの第２の動画像に変換する画像処理装置において、
前記第１の動画像を構成する画像を第１の画像とし、前記第１の画像、及び前記第１の画像よりも時間的に過去の第２の画像に基づいて、前記第１の画像と前記第２の画像との間に補間される補間画像を、前記第２の動画像を構成する画像として生成する画像生成手段と、
前記第２の動画像を構成する複数の画像を、順次、表示部に表示させる画像に補正するオーバードライブ処理の処理対象である対象画像に設定する第１の設定手段と、
前記第２の動画像を構成する複数の画像のうち、前記対象画像よりも時間的に過去の画像を、前記オーバードライブ処理により前記対象画像を補正するために参照される参照画像に設定する第２の設定手段と、
前記参照画像に基づいて、前記対象画像を、前記オーバードライブ処理により補正するオーバードライブ処理手段と、
前記対象画像及び前記参照画像を同期して、前記オーバードライブ処理手段に出力する出力手段と
を含む画像処理装置。
【請求項２】
前記第１の設定手段は、前記補間画像及び前記第１の画像を、順次、前記対象画像に設定し、
前記第２の設定手段は、前記第２の画像及び前記補間画像のうち、前記対象画像よりも時間的に過去の画像を、前記参照画像に設定する
請求項１に記載の画像処理装置。
【請求項３】
前記画像生成手段は、前記第１及び第２の画像に基づいて、前記第２の動画像を構成する画像のうち、前記第２の画像よりも時間的に１乃至n-1（nは２以上の自然数）枚だけ過去の画像それぞれを表す第１乃至第n-1の外挿画像を生成し、
前記第２の設定手段は、前記第１乃至第n-1の外挿画像、前記第２の画像、及び前記補間画像のうち、前記対象画像よりも時間的に１乃至n枚だけ過去の画像それぞれを、前記第１乃至第nの参照画像に設定する
請求項２に記載の画像処理装置。
【請求項４】
前記出力手段は、前記対象画像及び前記第１乃至第nの参照画像を同期して、前記オーバードライブ処理手段に出力し、
前記オーバードライブ処理手段は、前記第１乃至第nの参照画像に基づいて、前記対象画像を補正する
請求項３に記載の画像処理装置。
【請求項５】
前記第１の参照画像は、前記第２の動画像を構成する複数の画像のうち、前記対象画像よりも時間的に１枚分だけ過去の画像であり、
前記オーバードライブ処理手段は、
前記第１乃至第nの参照画像に基づいて、前記オーバードライブ処理手段により補正された前記第１の参照画像を表示したときに到達する前記表示部の階調を表す予測値を生成する予測値生成手段と、
前記対象画像及び前記予測値に基づいて、前記対象画像を補正するために、前記対象画像に加算される補正値を生成する補正値生成手段と、
前記対象画像に前記補正値を加算して、前記対象画像を補正する加算手段と
を含む
請求項４に記載の画像処理装置。
【請求項６】
前記第１及び第２の画像に基づいて、動きベクトルを検出する動きベクトル検出手段をさらに含み、
前記画像生成手段は、前記動きベクトルに基づいて、前記補間画像及び前記第１乃至第n-1の外挿画像を生成する
請求項３に記載の画像処理装置。
【請求項７】
前記画像生成手段は、前記第１及び第２の画像に基づいて、複数の前記補間画像を生成する
請求項１に記載の画像処理装置。
【請求項８】
第１の動画像を、より高フレームレートの第２の動画像に変換する画像処理装置の画像処理方法において、
前記画像処理装置は、
画像生成手段と、
第１の設定手段と、
第２の設定手段と、
オーバードライブ処理手段と、
出力手段と
を含み、
前記画像生成手段が、前記第１の動画像を構成する画像を第１の画像とし、前記第１の画像、及び前記第１の画像よりも時間的に過去の第２の画像に基づいて、前記第１の画像と前記第２の画像との間に補間される補間画像を、前記第２の動画像を構成する画像として生成し、
前記第１の設定手段が、前記第２の動画像を構成する複数の画像を、順次、表示部に表示させる画像に補正するオーバードライブ処理の処理対象である対象画像に設定し、
前記第２の設定手段が、前記第２の動画像を構成する複数の画像のうち、前記対象画像よりも時間的に過去の画像を、前記オーバードライブ処理により前記対象画像を補正するために参照される参照画像に設定し、
前記オーバードライブ処理手段が、前記参照画像に基づいて、前記対象画像を、前記オーバードライブ処理により補正し、
前記出力手段が、前記対象画像及び前記参照画像を同期して、前記オーバードライブ処理手段に出力する
ステップを含む画像処理方法。
【請求項９】
第１の動画像を、より高フレームレートの第２の動画像に変換する画像処理装置のコンピュータを、
前記第１の動画像を構成する画像を第１の画像とし、前記第１の画像、及び前記第１の画像よりも時間的に過去の第２の画像に基づいて、前記第１の画像と前記第２の画像との間に補間される補間画像を、前記第２の動画像を構成する画像として生成する画像生成手段と、
前記第２の動画像を構成する複数の画像を、順次、表示部に表示させる画像に補正するオーバードライブ処理の処理対象である対象画像に設定する第１の設定手段と、
前記第２の動画像を構成する複数の画像のうち、前記対象画像よりも時間的に過去の画像を、前記オーバードライブ処理により前記対象画像を補正するために参照される参照画像に設定する第２の設定手段と、
前記参照画像に基づいて、前記対象画像を、前記オーバードライブ処理により補正するオーバードライブ処理手段と、
前記対象画像及び前記参照画像を同期して、前記オーバードライブ処理手段に出力する出力手段と
して機能させるためのプログラム。
【発明の詳細な説明】
【技術分野】
【０００１】
本発明は、画像処理装置、画像処理方法、及びプログラムに関し、特に、ディスプレイの応答速度を改善するオーバードライブ処理を行う場合に用いて好適な画像処理装置、画像処理方法、及びプログラムに関する。
【背景技術】
【０００２】
例えばLCD（liquid crystal display）等に代表されるホールド型のディスプレイでは、複数のフレーム（又はフィールド）により構成される動画像を表示させる場合、表示されるフレームに、ホールド型のディスプレイ固有の動きぼけが生じ得る。
【０００３】
そこで、フレームに生じる動きぼけによる画質の劣化を抑止するために、ディスプレイの応答速度を改善するオーバードライブ処理が存在する。
【０００４】
図１は、ディスプレイの応答速度を改善するオーバードライブ処理を行う従来の画像処理装置１の構成例を示している。
【０００５】
この画像処理装置１は、ガンマ補正部２１、オーバードライブ処理部２２、タイミングコントローラ２３、及びLCD２４により構成される。
【０００６】
ガンマ補正部２１は、入力される動画像を構成する各フレーム(のRGB信号)に対してガンマ補正を行い、ガンマ補正後のフレームを、オーバードライブ処理部２２に供給する。
【０００７】
オーバードライブ処理部２２は、ガンマ補正部２１からのガンマ補正後のフレームに対してオーバードライブ処理を行い、オーバードライブ処理後のフレームをタイミングコントローラ２３に供給する。
【０００８】
オーバードライブ処理部２２は、フレームメモリ４１、補正値生成部４２、及び加算部４３により構成される。
【０００９】
オーバードライブ処理部２２においては、ガンマ補正部２１からのガンマ補正後のフレームが、フレームメモリ４１、補正値生成部４２及び加算部４３に供給される。
【００１０】
フレームメモリ４１は、ガンマ補正部２１からのガンマ補正後のフレームを、１フレーム周期分だけ遅延して補正値生成部４２に出力する。すなわち、補正値生成部４２には、ガンマ補正部２１から出力される、ガンマ補正後のn番目のフレームnと、フレームメモリ４１から出力される、ガンマ補正後のn-1番目のフレームn-1が入力される。
【００１１】
補正値生成部４２はルックアップテーブル４２aを内蔵する。ルックアップテーブル４２aは、LCD２４の応答速度を改善するために、ガンマ補正部２１によるガンマ補正後のフレームnに加算される補正値を、フレームnの画素の画素値と、対応するフレームn-1の画素の画素値との組合せ毎に対応付けて保持している。
【００１２】
なお、ルックアップテーブル４２aは、予め行われた実験等に基づいて生成される。このことは、後述する実施の形態についても同様である。
【００１３】
補正値生成部４２は、ガンマ補正部２１からのフレームnを構成する画素の画素値と、その画素と同じ位置に存在する、フレームメモリ４１からのフレームn-1を構成する画素の画素値との組合せに対応付けられている補正値を、内蔵するルックアップテーブル４２aから読み出し、加算部４３に供給する。
【００１４】
加算部４３は、ガンマ補正部２１からのフレームnを構成する画素の画素値を、それぞれ対応する、補正値生成部４２からの補正値と加算し、その結果得られる表示用フレームを、タイミングコントローラ２３に供給する。
【００１５】
タイミングコントローラ２３は、加算部４３からの表示用フレームを、所定のタイミングでLCD２４に供給して表示させる。
【００１６】
LCD２４は、タイミングコントローラ２３からの表示用フレームを表示する。
【００１７】
以上のように、従来の画像処理装置１のオーバードライブ処理部２２では、ガンマ補正部２１から供給されるフレームnと、フレームメモリ４１に保持しておいたフレームn-1とを用いたオーバードライブ処理を行う。
【００１８】
また、インターレース方式の映像信号を、プログレッシブ方式の映像信号に変換するIP変換処理と、オーバードライブ処理との２つの処理において、１つのフレームメモリを排他的に用いるメモリ利用技術が存在する（例えば、特許文献１を参照）。
【先行技術文献】
【特許文献】
【００１９】
【特許文献１】特開２００６−３０３５２号公報
【発明の概要】
【発明が解決しようとする課題】
【００２０】
ところで、従来の画像処理装置１において、オーバードライブ処理部２２では、フレームnに対してオーバードライブ処理を行うために、１フレーム前のフレームn-1を保持しておくフレームメモリ４１を設ける必要があった。
【００２１】
同様に、フレームnよりも２フレーム以前のフレーム（例えば、フレームn-2等）も用いてオーバードライブ処理を行うためには、２フレーム以前のフレームを保持しておくフレームメモリをさらに設けなければならなかった。
【００２２】
このように、オーバードライブ処理では、フレームnに対してオーバードライブ処理を行うために、オーバードライブ処理に用いられるフレームの分だけフレームメモリを設ける必要があった。
【００２３】
このことは、従来のメモリ利用技術についても同様である。
【００２４】
本発明は、このような状況に鑑みてなされたものであり、より簡素な構成より、オーバードライブ処理を行うことができるようにするものである。
【課題を解決するための手段】
【００２５】
本発明の一側面の画像処理装置、又はプログラムは、第１の動画像を、より高フレームレートの第２の動画像に変換する画像処理装置、又は第１の動画像を、より高フレームレートの第２の動画像に変換する画像処理装置のコンピュータとして機能させるためのプログラムであって、前記第１の動画像を構成する画像を第１の画像とし、前記第１の画像、及び前記第１の画像よりも時間的に過去の第２の画像に基づいて、前記第１の画像と前記第２の画像との間に補間される補間画像を、前記第２の動画像を構成する画像として生成する画像生成手段と、前記第２の動画像を構成する複数の画像を、順次、表示部に表示させる画像に補正するオーバードライブ処理の処理対象である対象画像に設定する第１の設定手段と、前記第２の動画像を構成する複数の画像のうち、前記対象画像よりも時間的に過去の画像を、前記オーバードライブ処理により前記対象画像を補正するために参照される参照画像に設定する第２の設定手段と、前記参照画像に基づいて、前記対象画像を、前記オーバードライブ処理により補正するオーバードライブ処理手段と、前記対象画像及び前記参照画像を同期して、前記オーバードライブ処理手段に出力する出力手段とを含む画像処理装置、又は画像処理装置として機能させるためのプログラムである。
【００２６】
前記第１の設定手段では、前記補間画像及び前記第１の画像を、順次、前記対象画像に設定し、前記第２の設定手段では、前記第２の画像及び前記補間画像のうち、前記対象画像よりも時間的に過去の画像を、前記参照画像に設定することができる。
【００２７】
前記画像生成手段では、前記第１及び第２の画像に基づいて、前記第２の動画像を構成する画像のうち、前記第２の画像よりも時間的に１乃至n-1（nは２以上の自然数）枚だけ過去の画像それぞれを表す第１乃至第n-1の外挿画像を生成し、前記第２の設定手段では、前記第１乃至第n-1の外挿画像、前記第２の画像、及び前記補間画像のうち、前記対象画像よりも時間的に１乃至n枚だけ過去の画像それぞれを、前記第１乃至第nの参照画像に設定することができる。
【００２８】
前記出力手段では、前記対象画像及び前記第１乃至第nの参照画像を同期して、前記オーバードライブ処理手段に出力し、前記オーバードライブ処理手段では、前記第１乃至第nの参照画像に基づいて、前記対象画像を補正することができる。
【００２９】
前記第１の参照画像は、前記第２の動画像を構成する複数の画像のうち、前記対象画像よりも時間的に１枚分だけ過去の画像であり、前記オーバードライブ処理手段には、前記第１乃至第nの参照画像に基づいて、前記オーバードライブ処理手段により補正された前記第１の参照画像を表示したときに到達する前記表示部の階調を表す予測値を生成する予測値生成手段と、前記対象画像及び前記予測値に基づいて、前記対象画像を補正するために、前記対象画像に加算される補正値を生成する補正値生成手段と、前記対象画像に前記補正値を加算して、前記対象画像を補正する加算手段とを設けることができる。
【００３０】
前記第１及び第２の画像に基づいて、動きベクトルを検出する動きベクトル検出手段をさらに設けることができ、前記画像生成手段では、前記動きベクトルに基づいて、前記補間画像及び前記第１乃至第n-1の外挿画像を生成することができる。
【００３１】
前記画像生成手段では、前記第１及び第２の画像に基づいて、複数の前記補間画像を生成することができる。
【００３２】
本発明の一側面の画像処理方法は、第１の動画像を、より高フレームレートの第２の動画像に変換する画像処理装置の画像処理方法であって、前記画像処理装置は、画像生成手段と、第１の設定手段と、第２の設定手段と、オーバードライブ処理手段と、出力手段とを含み、前記画像生成手段が、前記第１の動画像を構成する画像を第１の画像とし、前記第１の画像、及び前記第１の画像よりも時間的に過去の第２の画像に基づいて、前記第１の画像と前記第２の画像との間に補間される補間画像を、前記第２の動画像を構成する画像として生成し、前記第１の設定手段が、前記第２の動画像を構成する複数の画像を、順次、表示部に表示させる画像に補正するオーバードライブ処理の処理対象である対象画像に設定し、前記第２の設定手段が、前記第２の動画像を構成する複数の画像のうち、前記対象画像よりも時間的に過去の画像を、前記オーバードライブ処理により前記対象画像を補正するために参照される参照画像に設定し、前記オーバードライブ処理手段が、前記参照画像に基づいて、前記対象画像を、前記オーバードライブ処理により補正し、前記出力手段が、前記対象画像及び前記参照画像を同期して、前記オーバードライブ処理手段に出力するステップを含む画像処理方法である。
【００３３】
本発明の一側面によれば、前記第１の動画像を構成する画像が第１の画像とされ、前記第１の画像、及び前記第１の画像よりも時間的に過去の第２の画像に基づいて、前記第１の画像と前記第２の画像との間に補間される補間画像が、前記第２の動画像を構成する画像として生成され、前記第２の動画像を構成する複数の画像が、順次、表示部に表示させる画像に補正するオーバードライブ処理の処理対象である対象画像に設定され、前記第２の動画像を構成する複数の画像のうち、前記対象画像よりも時間的に過去の画像が、前記オーバードライブ処理により前記対象画像を補正するために参照される参照画像に設定され、前記参照画像に基づいて、前記参照画像と同期して出力された前記対象画像が、前記オーバードライブ処理により補正される。
【発明の効果】
【００３４】
本発明によれば、より簡素な構成より、オーバードライブ処理を行うことができる。
【図面の簡単な説明】
【００３５】
【図１】従来の画像処理装置の構成例を示すブロック図である。
【図２】第１の実施の形態である画像処理装置の構成例を示すブロック図である。
【図３】第１の動画像を構成するフレームを示す図である。
【図４】２倍速補間により得られる第２の動画像を示す図である。
【図５】オーバードライブ処理部の第１の構成例を示すブロック図である。
【図６】第１の画像処理を説明するためのフローチャートである。
【図７】適切な補正値が生成されない場合を説明するための第１の図である。
【図８】適切な補正値が生成されない場合を説明するための第２の図である。
【図９】適切な補正値が生成されない場合を説明するための第３の図である。
【図１０】第２の実施の形態である画像処理装置の構成例を示すブロック図である。
【図１１】オーバードライブ処理に用いられるフレームを示す図である。
【図１２】オーバードライブ処理部の第２の構成例を示すブロック図である。
【図１３】第２の画像処理を説明するためのフローチャートである。
【図１４】オーバードライブ処理部の第３の構成例を示すブロック図である。
【図１５】４倍速補間により得られる第２の動画像を示す図である。
【図１６】パーソナルコンピュータの構成例を示すブロック図である。
【発明を実施するための形態】
【００３６】
以下、発明を実施するための形態（以下、実施の形態という）について説明する。なお、説明は以下の順序で行う。
１．  第１の実施の形態
２．  第２の実施の形態
３．  変形例
【００３７】
＜１．第１の実施の形態＞
[画像処理装置６１の構成例]
図２は、第１の実施の形態である画像処理装置６１の構成例を示している。
【００３８】
なお、この画像処理装置６１は、入力される第１の動画像を高フレームレートの第２の動画像に変換しつつ、オーバードライブ処理により、ディスプレイ表示等の応答速度を改善するものである。
【００３９】
画像処理装置６１は、参照画像生成部８１、切替部８２、オーバードライブ処理部８３、タイミングコントローラ８４、及びLCD８５により構成される。
【００４０】
参照画像生成部８１は、入力される第１の動画像を構成する複数のフレームに基づいて、新たなフレームを補間（生成）し、第２の動画像を構成するフレームとして、新たなフレームと、入力される第１の動画像を構成する複数のフレームを切替部８２に供給する。
【００４１】
参照画像生成部８１は、フレームメモリ１０１、フレーム遅延部１０２、フレームメモリ１０３、動きベクトル検出部１０４、及び画素生成部１０５により構成される。
【００４２】
フレームメモリ１０１及びフレーム遅延部１０２には、入力される第１の動画像を構成するフレームが順次入力される。
【００４３】
フレームメモリ１０１は、入力されるフレームを保持する。
【００４４】
フレーム遅延部１０２は、入力されるフレームを、１フレーム周期分だけ遅延し、フレームメモリ１０３に供給して記憶（保持）させる。
【００４５】
フレームメモリ１０３は、フレーム遅延部１０２からの、１フレーム周期分だけ遅延したフレームを保持する。
【００４６】
すなわち、フレームメモリ１０１が、入力される第１の動画像を構成するフレームのうち、n番目のフレームnを保持する場合、フレームメモリ１０３は、１フレーム周期分だけ遅延した、n-1番目のフレームn-1を保持することになる。
【００４７】
動きベクトル検出部１０４は、フレームメモリ１０１からフレームnを、フレームメモリ１０３からフレームn-1を、それぞれ読み出す。そして、動きベクトル検出部１０４は、読み出したフレームnとフレームn-1とを用いたブロックマッチング等により、例えば、フレームn-1に対するフレームnの動きを表す動きベクトルを検出し、画素生成部１０５に供給する。
【００４８】
画素生成部１０５は、フレームメモリ１０１からフレームnを、フレームメモリ１０３からフレームn-1を、それぞれ読み出す。そして、画素生成部１０５は、読み出したフレームn及びフレームn-1、並びに、動きベクトル検出部１０４からの動きベクトルに基づいて、新たなフレームを補間（生成）する補間処理を行う。
【００４９】
すなわち、例えば、画素生成部１０５は、参照画像生成部８１に入力された第１の動画像を、よりフレームの枚数が多い第２の動画像に変換するために、フレームn-1とフレームnとの間に、新たなフレームとして補間フレームを生成する。
【００５０】
次に、図３及び図４を参照して、画素生成部１０５が行う補間処理を説明する。
【００５１】
[第１の動画像を構成するフレーム]
図３は、第１の動画像を構成するフレームを示している。
【００５２】
なお、図３に示される矩形は、フレームに対応する画像の大きさを表している。
【００５３】
また、動きベクトルMV(n-1,n)は、フレームn-1における画素１２１n-1を始点とし、画素１２１n-1に対応する、フレームnにおける画素１２１nを終点とする動きベクトルを示している。
【００５４】
フレームメモリ１０１にフレームnが、フレームメモリ１０３にフレームn-1が、それぞれ保持されている場合、画素生成部１０５は、フレームn-1とフレームnとの間に補間フレームを生成する。
【００５５】
すなわち、例えば、画素生成部１０５は、動きベクトル検出部１０４からの動きベクトルMV(n-1,n)を1/2倍して得られる動きベクトル1/2MV(n-1,n)の終点の位置１２２を、画素１２１n-1に対応する画素を補間する補間フレーム上の位置として決定する。
【００５６】
そして、画素生成部１０５は、画素１２１n-1、画素１２１n、画素１２１n-1の周囲に存在する画素、及び画素１２１nの周囲に存在する画素等に基づいて、補間フレーム上の位置１２２に、補間フレームの画素を補間する。
【００５７】
画素生成部１０５は、動きベクトル検出部１０４により検出された動きベクトルすべてに対して、上述した補間フレームの画素の補間を行い、補間フレームを生成する。
【００５８】
[２倍速補間により得られる第２の動画像]
次に、図４は、第１の動画像を２倍速により補間（フレームn-1とフレームnとの間に１枚の補間フレームを生成）して得られる第２の動画像を構成するフレームを示している。
【００５９】
なお、図４において、白色の矩形により示されるフレームは、参照画像生成部８１に入力された第１の動画像を構成するフレームを表している。
【００６０】
また、黒色の矩形により示されるフレームは、画素生成部１０５により補間される補間フレームを表している。
【００６１】
画素生成部１０５は、図４に示されるように、フレームn-1とフレームnとの間に配置される補間フレームを生成する。なお、フレームn-1とフレームnとの間に配置される補間フレームは、第１の動画像を構成するフレームが時間T毎に表示される場合、フレームnが表示されるときから時間T/2だけ過去に表示されるフレームn-1/2を補間して得られるフレームを表す。
【００６２】
画素生成部１０５は、生成した補間フレームを切替部８２に供給する。
【００６３】
また、画素生成部１０５は、フレームメモリ１０１を制御し、保持しているフレームnを切替部８２に出力させるとともに、フレーム１０３を制御し、保持しているフレームn-1を切替部８２に出力させる。
【００６４】
図２に戻り、切替部８２は、参照画像生成部８１からのフレームを、オーバードライブ処理の対象となる対象フレーム、及びオーバードライブ処理において参照される参照フレームにそれぞれ設定し、同一のタイミングで（同期させて）オーバードライブ処理部８３に供給する。
【００６５】
すなわち、例えば、切替部８２は、あるタイミングにおいて、フレームメモリ１０３からのフレームn-1を参照フレームとし、画素生成部１０５からの補間フレームを対象フレームとして、オーバードライブ処理部８３に供給する。
【００６６】
そして、次のタイミングにおいて、切替部８２は、画素生成部１０５からの補間フレームを参照フレームとし、フレームメモリ１０１からのフレームnを対象フレームとして、オーバードライブ処理部８３に供給する。
【００６７】
オーバードライブ処理部８３は、切替部８２からの参照フレームを参照しながら、切替部８２からの対象フレームに対するオーバードライブ処理を行い、その結果得られる表示用フレームを、タイミングコントローラ８４に供給する。
【００６８】
タイミングコントローラ８４は、オーバードライブ処理部８３からの表示用フレームを、所定のタイミングでLCD８５に供給して表示させる。
【００６９】
LCD８５は、タイミングコントローラ８４からの表示用フレームを表示する。
【００７０】
[オーバードライブ処理部８３の構成例]
次に、図５は、オーバードライブ処理部８３の構成例を示している。
【００７１】
このオーバードライブ処理部８３は、ガンマ補正部１４１及び１４２、補正値生成部１４３、並びに加算部１４４により構成される。
【００７２】
ガンマ補正部１４１には、切替部８２から対象フレームが供給される。ガンマ補正部１４１は、切替部８２からの対象フレームに対してガンマ補正を行い、ガンマ補正後の対象フレームを、補正値生成部１４３及び加算部１４４に供給する。
【００７３】
ガンマ補正部１４２には、切替部８２から参照フレームが供給される。ガンマ補正部１４２は、切替部８２からの参照フレームに対してガンマ補正を行い、ガンマ補正後の参照フレームを、補正値生成部１４３に供給する。
【００７４】
補正値生成部１４３はルックアップテーブル１４３aを内蔵する。ルックアップテーブル１４３aは、LCD８５の応答速度を改善するために、ガンマ補正部１４１によるガンマ補正後の対象フレームと加算される補正値を、対象フレームの画素の画素値と、対応する参照フレームの画素の画素値との組合せ毎に対応付けて保持している。
【００７５】
補正値生成部１４３は、ガンマ補正部１４１からの対象フレームを構成する画素の画素値と、その画素と同じ位置に存在する、ガンマ補正部１４２からの参照フレームを構成する画素の画素値との組合せに対応付けられている補正値を、内蔵するルックアップテーブル１４３aから読み出し、加算部１４４に供給する。
【００７６】
加算部１４４は、ガンマ補正部１４１からの対象フレームを構成する画素の画素値を、それぞれ対応する、補正値生成部１４３からの補正値と加算し、その結果得られる表示用フレームを、タイミングコントローラ８４に供給する。
【００７７】
[第１の画像処理による動作説明]
次に、入力された第１の動画像を構成するフレームn-1及びフレームnに基づいて、フレームn-1とフレームnとの間に補間フレームを生成し、補間フレームとフレームnに対してオーバードライブ処理を行う第１の画像処理を説明する。
【００７８】
図６は、画像処理装置６１が行う第１の画像処理を説明するためのフローチャートである。この第１の画像処理は、第１の動画像を構成するフレームのうち、フレームn(nは２以上の自然数)が参照画像生成部８１に入力される毎に開始される。
【００７９】
ステップＳ１において、フレーム遅延部１０２は、前回、入力されたn-1番目のフレームn-1を、フレームメモリ１０３に供給して記憶させる。
【００８０】
このとき、フレームメモリ１０１には、フレームnが入力されて保持される。
【００８１】
ステップＳ２において、動きベクトル検出部１０４は、フレームメモリ１０１からフレームnを、フレームメモリ１０３からフレームn-1を、それぞれ読み出す。そして、動きベクトル検出部１０４は、読み出したフレームnとフレームn-1とを用いたブロックマッチング等により、例えば、フレームn-1に対するフレームnの動きを表す動きベクトルMV(n-1,n)を検出する。
【００８２】
ステップＳ３において、画素生成部１０５は、図３を参照して説明したように、動きベクトル検出部１０４からの動きベクトルそれぞれを用いて、画素を補間すべき補間フレーム上の位置を決定する。
【００８３】
そして、画素生成部１０５は、フレームメモリ１０１に保持されているフレームn、及びフレーム１０３に保持されているフレームn-1に基づいて、決定した位置に画素を補間し、補間フレームを生成して切替部８２に供給する。
【００８４】
また、画素生成部１０５は、フレームメモリ１０１を制御し、保持しているフレームnを切替部８２に出力させるとともに、フレーム１０３を制御し、保持しているフレームn-1を切替部８２に出力させる。
【００８５】
ステップＳ４において、切替部８２は、画素生成部１０５からの補間フレーム、及びフレームメモリ１０１からのフレームnを、補間フレーム及びフレームnの順序で、対象フレームに設定する。
【００８６】
ステップＳ５において、切替部８２は、第２の動画像を構成するフレームについて、対象フレームよりも１フレーム分だけ過去のフレームを、参照フレームに設定する。
【００８７】
すなわち、例えば、切替部８２は、補間フレームを対象フレームに設定した場合、フレームメモリ１０３から供給される、補間フレームよりも１フレーム分だけ過去のフレームn-1を参照フレームに設定する。
【００８８】
ステップＳ６において、切替部８２は、対象フレーム及び参照フレームを、同一のタイミングでオーバードライブ処理部８３に供給する。
【００８９】
ステップＳ７乃至ステップＳ１０において、オーバードライブ処理部８３は、対象フレーム及び参照フレームに基づいて、オーバードライブ処理を行う。
【００９０】
すなわち、ステップＳ７において、ガンマ補正部１４１は、切替部８２からの対象フレームに対してガンマ補正を行い、ガンマ補正後の対象フレームを、補正値生成部１４３及び加算部１４４に供給する。
【００９１】
ステップＳ８において、ガンマ補正部１４２は、切替部８２からの参照フレームに対してガンマ補正を行い、ガンマ補正後の参照フレームを、補正値生成部１４３に供給する。
【００９２】
ステップＳ９において、補正値生成部１４３は、ガンマ補正部１４１からの対象フレームを構成する画素の画素値と、その画素と同じ位置に存在する、ガンマ補正部１４２からの参照フレームを構成する画素の画素値との組合せに対応付けられている補正値を、内蔵するルックアップテーブル１４３aから読み出し、加算部１４４に供給する。
【００９３】
ステップＳ１０において、加算部１４４は、ガンマ補正部１４１からの対象フレームを構成する画素の画素値を、それぞれ対応する、補正値生成部１４３からの補正値と加算し、その結果得られる表示用フレームを、タイミングコントローラ８４に供給する。
【００９４】
ステップＳ１１において、タイミングコントローラ８４は、加算部１４４からの表示用フレームを、所定のタイミングでLCD８５に供給して表示させる。
【００９５】
ステップＳ１２において、切替部８２は、補間フレーム及びフレームnを、対象フレームとして、ステップＳ７乃至ステップＳ１０におけるオーバードライブ処理を実行したか否かを判定する。
【００９６】
ステップＳ１２において、切替部８２は、補間フレーム及びフレームnを、対象フレームとして、ステップＳ７乃至ステップＳ１０におけるオーバードライブ処理を実行していないと判定した場合、処理はステップＳ４に戻る。
【００９７】
ステップＳ４では、切替部８２は、フレームnを対象フレームに設定し、ステップＳ５では、切替部８２は、補間フレームを参照フレームに設定して、それ以降の処理が行われる。
【００９８】
ステップＳ１２において、切替部８２は、補間フレーム及びフレームnを、対象フレームとして、ステップＳ７乃至ステップＳ１０におけるオーバードライブ処理を実行したと判定した場合、処理は終了される。
【００９９】
以上説明したように、第１の画像処理では、切替部８２が、対象フレームをオーバードライブ処理部８３に出力するタイミングと同一のタイミングで、参照フレームをオーバードライブ処理部８３に出力するようにした。
【０１００】
したがって、オーバードライブ処理部８３は、対象フレームに対するオーバードライブ処理を行うために、参照フレームを保持するためのフレームメモリを設ける必要がない。
【０１０１】
このため、オーバードライブ処理部８３では、図１に示されたオーバードライブ処理部２２よりも簡素な構成とすることができる。
【０１０２】
また、オーバードライブ処理部８３では、参照フレームを保持するためのフレームメモリを設ける必要がないため、フレームメモリを設けるためのコスト等を削減することが可能となる。
【０１０３】
ところで、オーバードライブ処理８３では、対象フレームを構成する画素の画素値と、参照フレームを構成する画素の画素値との組合せによって、補正値生成部１４３により、適切な補正値ｒが生成されない事態が生じ得る。
【０１０４】
次に、図７乃至図９を参照して、補正値生成部１４３により、適切な補正値ｒが生成されない場合について説明する。
【０１０５】
図７乃至図９は、オーバードライブ処理部８３が行うオーバードライブ処理により得られる画素値と、その画素値に対応するLCD８５の液晶応答波形との関係を示している。
【０１０６】
なお、図７乃至図９において、横軸は時間を表しており、縦軸は画素値を表している。
【０１０７】
また、期間ｔ０乃至ｔ３は、それぞれ、１枚の表示用フレームがLCD８５に表示される期間を示している。
【０１０８】
期間ｔ０において、オーバードライブ処理部８３は、フレームn-2とフレームn-1との間に生成された補間フレームを参照フレームとし、画素値ｘ０を有するフレームn-1を対象フレームとして、オーバードライブ処理を行う。
【０１０９】
この場合、補正値生成部１４３において、フレームn-2とフレームn-1との間に生成された補間フレームの画素の画素値（画素値ｘ０よりも小さな画素値）と、フレームn-1の画素の画素値ｘ０との組合せに対応付けられた補正値ｒ０が生成される。
【０１１０】
そして、加算部１４４において、生成された補正値ｒ０と、フレームn-1の画素の画素値ｘ０とが加算され、その結果得られる加算値（ｘ０＋ｒ０）が、タイミングコントローラ８４を介してLCD８５に出力される。
【０１１１】
期間ｔ０において、LCD８５の液晶応答波形は、期間ｔ０の終了間際に、対象フレームであるフレームn-1が有する画素値ｘ０（に対応する階調）に到達する。
【０１１２】
期間ｔ１において、オーバードライブ処理部８３は、フレームn-1を参照フレームとし、画素値ｘ１を有する補間フレームを対象フレームとして、オーバードライブ処理を行う。
【０１１３】
この場合、補正値生成部１４３において、フレームn-1の画素の画素値ｘ０と、補間フレームの画素の画素値ｘ１との組合せ（ｘ０，ｘ１）に対応付けられた補正値-ｒ１（ｒ１＞０）が生成される。
【０１１４】
そして、加算部１４４において、生成された補正値-ｒ１と、補間フレームの画素の画素値ｘ１とが加算され、その結果得られる加算値（ｘ１-ｒ１）が、タイミングコントローラ８４を介してLCD８５に出力される。
【０１１５】
期間ｔ１において、LCD８５の液晶応答波形は、期間ｔ１の終了間際に、対象フレームである補間フレームが有する画素値ｘ１に到達する。
【０１１６】
期間ｔ２において、オーバードライブ処理部８３は、補間フレームを参照フレームとし、画素値ｘ２を有するフレームnを対象フレームとして、オーバードライブ処理を行う。
【０１１７】
この場合、補正値生成部１４３において、補間フレームの画素の画素値ｘ１と、フレームnの画素の画素値ｘ２との組合せ（ｘ１，ｘ２）に対応付けられた補正値ｒ２（＞０）が生成される。
【０１１８】
そして、加算部１４４において、生成された補正値ｒ２と、フレームnの画素の画素値ｘ２とが加算され、その結果得られる加算値（ｘ２＋ｒ２）が、タイミングコントローラ８４を介してLCD８５に出力される。
【０１１９】
期間ｔ２において、LCD８５の液晶応答波形は、期間ｔ２の終了間際に、対象フレームである補間フレームが有する画素値ｘ２に到達する。
【０１２０】
オーバードライブ処理部８３では、図７に示されるように、対象フレームの画素の画素値（図７の例では画素値ｘ１）が、参照フレームの画素の画素値（図７の例では画素値ｘ０）よりも小さい場合、加算値として、対象フレームの画素の画素値（図７の例では画素値ｘ１）よりも小さな値（図７の例では加算値ｘ１−ｒ１）が出力される。
【０１２１】
また、オーバードライブ処理部８３では、図７に示されるように、対象フレームの画素の画素値（図７の例では画素値ｘ２）が、参照フレームの画素の画素値（図７の例では画素値ｘ１）よりも大きい場合、加算値として、対象フレームの画素の画素値（図７の例では画素値ｘ２）よりも大きな値（図７の例では加算値ｘ２＋ｒ２）が出力される。
【０１２２】
したがって、期間ｔ０乃至ｔ２の終了間際において、LCD８５の液晶応答波形は、対象フレームが有する画素値（に対応する階調）と一致するものとなる。
【０１２３】
次に、図８を参照して、画素値ｘ０が最大値付近の値であって、画素値ｘ１が最小値である場合に行われるオーバードライブ処理を説明する。
【０１２４】
期間ｔ０において、オーバードライブ処理部８３は、図７の場合と同様にして、フレームn-2とフレームn-1との間に生成された補間フレームを参照フレームとし、画素値ｘ０を有するフレームn-1を対象フレームとして、オーバードライブ処理を行う。
【０１２５】
期間ｔ１において、オーバードライブ処理部８３は、フレームn-1を参照フレームとし、画素値ｘ１を有する補間フレームを対象フレームとして、オーバードライブ処理を行う。
【０１２６】
図８において、画素値ｘ１は最小値となっており、加算部１４４において、加算部１４４からタイミングコントローラ８４を介してLCD８５に出力される加算値を、画素値ｘ１よりも小さな値とすることができない。
【０１２７】
上述したように、オーバードライブ処理部８３では、図７に示されるように、対象フレームの画素の画素値が、参照フレームの画素の画素値よりも小さい場合、加算値として、対象フレームの画素の画素値よりも小さな値が出力されるようにした。
【０１２８】
したがって、期間ｔ１の終了間際において、LCD８５の液晶応答波形は、対象フレームが有する画素値（に対応する階調）と一致するものとなる。
【０１２９】
しかしながら、図８の期間ｔ１では、加算値として、対象フレームの画素の画素値ｘ１よりも小さな値ではなく、対象フレームの画素の画素値ｘ１と同一の値ｘ１が、LCD８５に出力される。
【０１３０】
このため、図８の期間ｔ１において、LCD８５の液晶応答波形は、期間ｔ１の終了間際になっても、対象フレームである補間フレームが有する画素値ｘ１には到達しない。
【０１３１】
期間ｔ２において、オーバードライブ処理部８３は、補間フレームを参照フレームとし、画素値ｘ２を有するフレームnを対象フレームとして、オーバードライブ処理を行う。
【０１３２】
この場合、補正値生成部１４３において、補間フレームの画素の画素値ｘ１と、フレームnの画素の画素値ｘ２との組合せ（ｘ１，ｘ２）に対応付けられた補正値ｒ２が生成される。
【０１３３】
そして、加算部１４４において、生成された補正値ｒ２と、フレームnの画素の画素値ｘ２とが加算され、その結果得られる加算値（ｘ２＋ｒ２）が、タイミングコントローラ８４を介してLCD８５に出力される。
【０１３４】
加算部１４４において算出された加算値（ｘ２＋ｒ２）は、LCD８５の液晶応答波形が、期間ｔ１の終了間際に画素値ｘ１である場合に、LCD８５の液晶応答波形を、期間ｔ２の終了間際に画素値ｘ２に到達させるものである。
【０１３５】
しかしながら、期間ｔ１において、LCD８５の液晶応答波形は、期間ｔ１の終了間際になっても、画素値ｘ１とは一致せず、画素値ｘ１よりも大きな値ｘ１'となっている。
【０１３６】
したがって、期間ｔ２において、LCD８５の液晶応答波形は、画素値ｘ１ではなく、値ｘ１'から上昇し、期間ｔ２の終了間際には、対象フレームであるフレームnが有する画素値ｘ２を大きく超えてしまう。
【０１３７】
この場合、期間ｔ２の終了間際において、LCD８５の液晶応答波形が、画素値ｘ２とは大きく異なるものとなるため、LCD８５に表示された表示用フレームに動きぼけが生じてしまう。
【０１３８】
このため、オーバードライブ処理部８３では、図９に示されるように、期間ｔ１の終了間際に、LCD８５の液晶応答波形が到達する値を、予測値ｘ１’として算出し、期間ｔ２において、算出した予測値ｘ１’と、対象フレームであるフレームnの画素の画素値ｘ２との組合せ（ｘ１’,ｘ２）から補正値を生成することが望ましい。
【０１３９】
＜２．第２の実施の形態＞
[画像処理装置１６１の構成例]
次に、図１０は、第２の実施の形態である画像処理装置１６１の構成例を示している。
【０１４０】
なお、この画像処理装置１６１は、入力される第１の動画像を高フレームレートの第２の動画像に変換しつつ、第２の動画像を構成するフレームのうち、連続して並ぶ３枚のフレームを用いたオーバードライブ処理を行うものである。
【０１４１】
画像処理装置１６１は、参照画像生成部１８１、切替部１８２、オーバードライブ処理部１８３、タイミングコントローラ１８４、及びLCD１８５により構成される。
【０１４２】
参照画像生成部１８１は、入力される第１の動画像を構成する複数のフレームに基づいて、新たなフレームを補間し、第２の動画像を構成するフレームとして、新たなフレームと、入力される第１の動画像を構成する複数のフレームを切替部１８２に供給する。
【０１４３】
なお、参照画像生成部１８１は、図２の参照画像生成部８１と同様に構成される部分については、同一の符号を付しているため、その説明は以下省略する。
【０１４４】
すなわち、参照画像生成部１８１は、画素生成部１０５に代えて、画素生成部２０１が設けられている他は同様に構成される。
【０１４５】
画素生成部２０１は、フレームメモリ１０１からフレームnを、フレームメモリ１０３からフレームn-1を、それぞれ読み出す。そして、画素生成部２０１は、読み出したフレームn及びフレームn-1、並びに、動きベクトル検出部１０４からの動きベクトルMV(n-1,n)に基づいて、図１１を参照して以下に詳述する、補間フレーム、及び外挿フレームを生成する。
【０１４６】
図１１は、第２の動画像を構成するフレームのうち、オーバードライブ処理部１８３により用いられるフレームを表している。
【０１４７】
画素生成部２０１は、画素生成部１０５と同様にして、フレームn-1とフレームnとの間に、補間フレームを生成して、切替部１８２に供給する。
【０１４８】
また、画素生成部２０１は、フレームn-2とフレームn-1との間に生成される補間フレームに対応するフレームとして、後述するオーバードライブ処理部１８３において、フレームn-1とフレームnとの間に生成される補間フレームのオーバードライブ処理に用いられる外挿フレームを生成し、切替部１８２に供給する。
【０１４９】
すなわち、例えば、画素生成部２０１は、動きベクトル検出部１０４からの動きベクトルMV(n-1,n)を-1/2倍して得られる動きベクトル-1/2MV(n-1,n)の終点の位置を、画素１２１n-1に対応する画素を補間する外挿フレーム上の位置として決定する。
【０１５０】
また、画素生成部２０１は、画素１２１n-1、画素１２１n、画素１２１n-1の周囲に存在する画素、及び画素１２１nの周囲に存在する画素等に基づいて、決定された外挿フレーム上の位置に、外挿フレームの画素を補間する。
【０１５１】
そして、画素生成部２０１は、補間により生成される外挿フレームを、切替部１８２に供給する。
【０１５２】
図１０に戻り、切替部１８２は、参照画像生成部１８１からのフレームを、オーバードライブ処理の対象となる対象フレーム、並びにオーバードライブ処理において参照される第１及び第２の参照フレームにそれぞれ設定し、同一のタイミングでオーバードライブ処理部１８３に供給する。
【０１５３】
すなわち、例えば、切替部１８２は、あるタイミングにおいて、画素生成部２０１からの外挿フレームを、第２の参照フレームとし、フレームメモリ１０３からのフレームn-1を第１の参照フレームとし、画素生成部２０１からの補間フレームを対象フレームとして、オーバードライブ処理部１８３に供給する。
【０１５４】
そして、次のタイミングにおいて、切替部１８２は、フレームメモリ１０３からのフレームn-1を第２の参照フレームとし、画素生成部２０１からの補間フレームを第１の参照フレームとし、フレームメモリ１０１からのフレームnを対象フレームとして、オーバードライブ処理部１８３に供給する。
【０１５５】
オーバードライブ処理部１８３は、切替部１８２からの第１及び第２の参照フレームを参照しながら、切替部１８２からの対象フレームに対するオーバードライブ処理を行い、その結果得られる表示用フレームを、タイミングコントローラ１８４に供給する。
【０１５６】
タイミングコントローラ１８４は、オーバードライブ処理部１８３からの表示用フレームを、所定のタイミングでLCD１８５に供給して表示させる。
【０１５７】
LCD１８５は、タイミングコントローラ１８４からの表示用フレームを表示する。
【０１５８】
[オーバードライブ処理部１８３の構成例]
次に、図１２は、第１及び第２の参照フレームを用いて、第１の参照フレームにおける予測値を生成し、生成した予測値を参照して、対象フレームの画素の画素値に対するオーバードライブ処理を行うオーバードライブ処理部１８３の構成例を示している。
【０１５９】
なお、このオーバードライブ処理部１８３は、図５のオーバードライブ処理部８３と同様に構成されている部分については同一の符号を付しているため、その説明は以下省略する。
【０１６０】
すなわち、オーバードライブ処理部１８３は、ガンマ補正部１４２に代えて、ガンマ補正部２２１及び２２２、並びに予測値生成部２２３が設けられている他は、図５のオーバードライブ処理部８３と同様に構成されている。
【０１６１】
ガンマ補正部２２１には、切替部１８２から、第１の参照フレームが供給される。ガンマ補正部２２１は、切替部１８２からの第１の参照フレームに対してガンマ補正を行い、ガンマ補正後の第１の参照フレームを、予測値生成部２２３に供給する。
【０１６２】
ガンマ補正部２２２には、切替部１８２から、第２の参照フレームが供給される。ガンマ補正部２２２は、切替部１８２からの第２の参照フレームに対してガンマ補正を行い、ガンマ補正後の第２の参照フレームを、予測値生成部２２３に供給する。
【０１６３】
予測値生成部２２３は、ガンマ補正部２２１からの第１の参照フレーム、及びガンマ補正部２２２からの第２の参照フレームに基づいて、オーバードライブ処理が施された第１の参照フレームをLCD１８５に表示させた場合に、LCD１８５の液晶応答波形が到達する値を、予測値として生成する。
【０１６４】
予測値生成部２２３は、差分値生成部２４１及び加算部２４２により構成される。
【０１６５】
差分値生成部２４１はルックアップテーブル２４１aを内蔵する。ルックアップテーブル２４１aには、オーバードライブ処理が施された第１の参照フレームをLCD１８５に表示させた場合に、LCD１８５の液晶応答波形が到達する予測値（例えば、図９の予測値ｘ１’）から、第１の参照フレームの画素の画素値（例えば、図９の画素値ｘ１）を差し引いて得られる差分値が、第１の参照フレーム及び第２の参照フレームの画素値の組合せ毎に対応付けられている。
【０１６６】
差分値生成部２４１には、ガンマ補正部２２１から第１の参照フレームが、ガンマ補正部２２２から第２の参照フレームが、それぞれ供給される。
【０１６７】
差分値生成部２４１は、ガンマ補正部２２１からの第１の参照フレームを構成する画素の画素値と、その画素と同じ位置に存在する、ガンマ補正部２２２からの第２の参照フレームを構成する画素の画素値との組合せに対応付けられている差分値を、内蔵するルックアップテーブル２４１aから読み出し、加算部２４２に供給する。
【０１６８】
加算部２４２には、ガンマ補正部２２１から第１の参照フレームが供給される。
【０１６９】
加算部２４２は、ガンマ補正部２２１からの第１の参照フレームを構成する画素の画素値を、それぞれ対応する、差分値生成部２４１からの差分値と加算し、その結果得られる予測値により構成される予測フレームを、補正値生成部１４３に供給する。
【０１７０】
なお、補正値生成部１４３は、ガンマ補正部１４１からの対象フレームを構成する画素の画素値と、その画素と同じ位置に存在する、加算部２４２からの予測フレームを構成する画素の画素値（予測値）との組合せに対応付けられている補正値を、内蔵するルックアップテーブル１４３aから読み出し、加算部１４４に供給する。
【０１７１】
[第２の画像処理による動作説明]
次に、入力された第１の動画像を構成するフレームn-1及びフレームnに基づいて、フレームn-1とフレームnとの間に補間フレーム、及びフレームn-2とフレームn-1との間に外挿フレーム生成し、補間フレームとフレームnに対してオーバードライブ処理を行う第２の画像処理を説明する。
【０１７２】
図１３は、画像処理装置１６１が行う第２の画像処理を説明するためのフローチャートである。この第２の画像処理は、第１の動画像を構成するフレームのうち、フレームnが参照画像生成部１８１に入力される毎に開始される。
【０１７３】
ステップＳ３１及びステップＳ３２において、図６のステップＳ１及びステップＳ２と同様の処理が行われる。
【０１７４】
ステップＳ３３において、画素生成部２０１は、フレームメモリ１０１からフレームnを、フレームメモリ１０３からフレームn-1を、それぞれ読み出す。
【０１７５】
画素生成部２０１は、動きベクトル検出部１０４からの動きベクトルMV(n-1,n)に-1/2を乗算し、その結果得られる動きベクトル-1/2MV(n-1,n)の終点の位置を、外挿フレームの画素（の画素値）を補間する位置に決定する。
【０１７６】
そして、画素生成部２０１は、読み出したフレームn及びフレームn-1に基づいて、決定した外挿フレーム上の位置に画素を補間する。
【０１７７】
画素生成部２０１は、動きベクトル検出部１０４からの動きベクトルすべてに対して、外挿フレームの画素の補間を行うことにより、外挿フレームを生成して切替部１８２に供給する。
【０１７８】
ステップＳ３４において、画素生成部２０１は、図６のステップＳ３と同様の処理を行い、補間フレームを生成して切替部１８２に供給する。
【０１７９】
また、画素生成部２０１は、フレームメモリ１０１を制御し、保持しているフレームnを切替部１８２に出力させるとともに、フレーム１０３を制御し、保持しているフレームn-1を切替部１８２に出力させる。
【０１８０】
ステップＳ３５において、切替部１８２は、画素生成部２０１からの補間フレーム、及びフレームメモリ１０１からのフレームnを、補間フレーム及びフレームnの順序で、対象フレームに設定する。
【０１８１】
ステップＳ３６において、切替部１８２は、第２の動画像を構成するフレームについて、対象フレームよりも１フレーム分だけ過去のフレームを第１の参照フレームに、対象フレームよりも２フレーム分だけ過去のフレームを第２の参照フレームに、それぞれ設定する。
【０１８２】
すなわち、例えば、切替部１８２は、補間フレームを対象フレームに設定した場合、補間フレームよりも１フレーム分だけ過去のフレームn-1を第１の参照フレームに、補間フレームよりも２フレーム分だけ過去の外挿フレームを第２の参照フレームに、それぞれ設定する。
【０１８３】
ステップＳ３７において、切替部１８２は、対象フレーム、第１の参照フレーム、及び第２の参照フレームを、同一のタイミングでオーバードライブ処理部１８３に供給する。
【０１８４】
ステップＳ３８乃至ステップＳ４４において、オーバードライブ処理部１８３は、対象フレーム、第１の参照フレーム、及び第２の参照フレームを用いたオーバードライブ処理を行う。
【０１８５】
ステップＳ３８において、ガンマ補正部１４１は、切替部１８２からの対象フレームに対してガンマ補正を行い、ガンマ補正後の対象フレームを、補正値生成部１４３及び加算部１４４に供給する。
【０１８６】
ステップＳ３９において、ガンマ補正部２２１は、切替部１８２からの第１の参照フレームに対してガンマ補正を行い、ガンマ補正後の第１の参照フレームを、予測値生成部２２３の差分値生成部２４１及び加算部２４２に供給する。
【０１８７】
ステップＳ４０において、ガンマ補正部２２２は、切替部１８２からの第２の参照フレームに対してガンマ補正を行い、ガンマ補正後の第２の参照フレームを、予測値生成部２２３の差分値生成部２４１に供給する。
【０１８８】
ステップＳ４１において、差分値生成部２４１は、ガンマ補正部２２１からの第１の参照フレームを構成する画素の画素値と、その画素と同じ位置に存在する、ガンマ補正部２２２からの第２の参照フレームを構成する画素の画素値との組合せに対応付けられている差分値を、内蔵するルックアップテーブル２４１aから読み出し、加算部２４２に供給する。
【０１８９】
ステップＳ４２において、加算部２４２は、ガンマ補正部２２１からの第１の参照フレームを構成する画素の画素値を、それぞれ対応する、差分値生成部２４１からの差分値と加算し、その結果得られる予測値により構成される予測フレームを、補正値生成部１４３に供給する。
【０１９０】
なお、ステップＳ４２において、加算部２４２から補正値生成部１４３に供給される予測フレームは、第１の参照フレームを対象フレームとして、ステップＳ３８乃至ステップＳ４４の処理を行い、LCD１８５に表示したときに到達する階調を表す画素値の画素により構成されるフレームである。
【０１９１】
ステップＳ４３において、補正値生成部１４３は、ガンマ補正部１４１からの対象フレームを構成する画素の画素値と、その画素と同じ位置に存在する、加算部２４２からの予測フレームを構成する画素の画素値との組合せに対応付けられている補正値を、内蔵するルックアップテーブル１４３aから読み出し、加算部１４４に供給する。
【０１９２】
ステップＳ４４及びステップＳ４５において、図６のステップＳ１０及びステップＳ１１と同様の処理が行われる。
【０１９３】
ステップＳ４６において、切替部１８２は、補間フレーム及びフレームnを、対象フレームとして、ステップＳ３８乃至ステップＳ４４におけるオーバードライブ処理を実行したか否かを判定する。
【０１９４】
ステップＳ４６において、切替部１８２は、補間フレーム及びフレームnを、対象フレームとして、ステップＳ３８乃至ステップＳ４４におけるオーバードライブ処理を実行していないと判定した場合、処理はステップＳ３５に戻る。
【０１９５】
ステップＳ３５では、切替部１８２は、フレームnを対象フレームに設定し、ステップＳ３６では、切替部１８２は、補間フレームを第１の参照フレームに、フレームn-1を第２の参照フレームにそれぞれ設定して、それ以降の処理が行われる。
【０１９６】
ステップＳ４６において、切替部１８２は、補間フレーム及びフレームnを、対象フレームとして、ステップＳ３８乃至ステップＳ４４におけるオーバードライブ処理を実行したと判定した場合、処理は終了される。
【０１９７】
以上説明したように、第２の画像処理では、切替部１８２が、対象フレームをオーバードライブ処理部１８３に出力するタイミングと同一のタイミングで、第１及び第２の参照フレームを、オーバードライブ処理部１８３に出力するようにした。
【０１９８】
したがって、オーバードライブ処理部１８３では、対象フレームに対するオーバードライブ処理を行うために、第１の参照フレームを保持するためのフレームメモリ、及び第２の参照フレームを保持するためのフレームメモリを設ける必要がない。
【０１９９】
このため、オーバードライブ処理部１８３では、図１に示されたオーバードライブ処理部２２よりも簡素な構成とすることができる。
【０２００】
さらに、第２の画像処理では、対象フレームよりも１フレーム前のフレームである第１の参照フレームをLCD１８５に表示したときに到達する階調を表す画素値の画素により構成される予測フレームを予測し、その予測フレームと対象フレームとに基づいて、LCD１８５に表示させる表示用フレームを生成するようにした。
【０２０１】
したがって、オーバードライブ処理部１８３では、第１の参照フレームの画素の画素値が表す階調と、オーバードライブ処理後の第１の参照フレームがLCD１８５に表示されたときに到達する階調とが異なる場合でも、図８に示されたような、液晶応答波形が行き過ぎる等の事態を防止することが可能な表示用フレームを生成することが可能となる。
【０２０２】
このため、第１の画像処理と比較して、LCD１８５に表示される動画像の動きぼけをより低減することが可能となる。
【０２０３】
オーバードライブ処理部１８３では、補正値生成部１４３に供給される予測フレームを生成するために、第１の参照フレーム、及び第２の参照フレームを用いるようにした。
【０２０４】
しかし、第２の動画像を構成する各フレームのうち、対象フレームよりも１フレーム分だけ過去の第１の参照フレーム、及び対象フレームよりも２フレーム分だけ過去の第２の参照フレームの他、対象フレームよりも３フレーム分だけ過去のフレームである第３の参照フレームを用いて、補正値生成部１４３に供給される予測フレームを生成することが可能である。
【０２０５】
この場合、画像処理装置１６１において、画素生成部２０１が、フレームn-1とフレームnとの間に補間される補間フレーム、及びフレームn-2とフレームn-1との間に補間される補間フレームに対応する外挿フレームの他、フレームn-2に対応する外挿フレームを生成して、切替部１８２に供給するように構成する。
【０２０６】
以下、フレームn-2とフレームn-1との間に補間される補間フレームに対応する外挿フレームを、第１の外挿フレームといい、フレームn-2に対応する外挿フレームを、第２の外挿フレームという。
【０２０７】
また、画像処理装置１６１において、切替部１８２は、あるタイミングにおいて、画素生成部２０１からの第２の外挿フレームを第３の参照フレームとし、画素生成部２０１からの第１の外挿フレームを第２の参照フレームとし、フレーム１０３からのフレームn-1を第１の参照フレームとし、画素生成部２０１からの補間フレームを対象フレームとして、オーバードライブ処理部１８３に供給するように構成する。
【０２０８】
そして、次のタイミングにおいて、切替部１８２は、画素生成部２０１からの第１の外挿フレームを第３の参照フレームとし、フレームメモリ１０３からのフレームn-1を第２の参照フレームとし、画素生成部２０１からの補間フレームを第１の参照フレームとし、フレームメモリ１０１からのフレームn-1を対象フレームとして、オーバードライブ処理部１８３に供給する。
【０２０９】
＜３．変形例＞
[オーバードライブ処理部２６１の構成例]
次に、図１４は、第１乃至３の参照フレームを用いて、補正値生成部１４３に供給される予測フレームを生成するオーバードライブ処理部２６１の構成例を示している。
【０２１０】
なお、このオーバードライブ処理部２６１は、オーバードライブ処理部１８３と同様に構成されている部分については同一の符号を付しているため、その説明は以下省略する。
【０２１１】
すなわち、オーバードライブ処理部２６１は、新たにガンマ補正部２８１及び予測値生成部２８２が設けられている他は、オーバードライブ処理部１８３と同様に構成される。
【０２１２】
なお、ガンマ補正部２８１には第１の参照フレームが、ガンマ補正部２２１には第２の参照フレームが、ガンマ補正部２２２には第３の参照フレームが、それぞれ、切替部１８２から供給される。
【０２１３】
ガンマ補正部２８１は、切替部１８２からの第１の参照フレームに対してガンマ補正を行い、ガンマ補正後の第１の参照フレームを、予測値生成部２８２に供給する。
【０２１４】
予測値生成部２８２は、差分値生成部３０１及び加算部３０２により構成される。
【０２１５】
差分値生成部３０１はルックアップテーブル３０１aを内蔵する。ルックアップテーブル３０１aには、オーバードライブ処理が施された第１の参照フレームをLCD１８５に表示させた場合にLCD１８５の液晶応答波形が到達する予測値から、第１の参照フレームの画素の画素値を差し引いて得られる差分値が、第１の参照フレームの画素の画素値と、第２の参照フレームにおける予測フレームの予測値の組合せ毎に対応付けられている。
【０２１６】
差分値生成部３０１には、ガンマ補正部２８１から、ガンマ補正後の第１の参照フレームが、予測値生成部２２３から、第２の参照フレームにおける予測フレームが、それぞれ供給される。
【０２１７】
差分値生成部３０１は、ガンマ補正部２８１からの第１の参照フレームを構成する画素の画素値と、その画素と同じ位置に存在する、予測値生成部２２３からの、第２の参照フレームにおける予測フレームを構成する画素の画素値（予測値）との組合せに対応付けられている差分値を、内蔵するルックアップテーブル３０１aから読み出し、加算部３０２に供給する。
【０２１８】
加算部３０２には、ガンマ補正部２８１から、ガンマ補正後の第１の参照フレームが供給される。
【０２１９】
加算部３０２は、ガンマ補正部２８１からの第１の参照フレームを構成する画素の画素値を、それぞれ対応する、差分値生成部３０１からの差分値と加算する。そして、加算部３０２は、その加算の結果得られる予測値により構成される、第１の参照フレームにおける予測フレームを、補正値生成部１４３に供給する。
【０２２０】
なお、補正値生成部１４３は、ガンマ補正部１４１からの対象フレームを構成する画素の画素値と、その画素と同じ位置に存在する、加算部３０２からの予測フレームを構成する画素の画素値との組合せに対応付けられている補正値を、内蔵するルックアップテーブル１４３aから読み出し、加算部１４４に供給する。
【０２２１】
以上説明したように、オーバードライブ処理部２６１では、予測値生成部２８２が、第１及び第２の参照フレームではなく、第１の参照フレーム、及び第２の参照フレームにおける予測フレームに基づいて、補正値生成部１４３に供給される、第１の参照フレームにおける予測フレームを生成するようにした。
【０２２２】
したがって、例えば、第２の参照フレームにおけるLCD１８５の液晶応答波形が、第２の参照フレームの画素値に対応する階調にはならないことに起因して、第１の参照フレームにおけるLCD１８５の液晶応答波形も、第１の参照フレームの画素値に対応する階調とならなくなり、このため、対象フレームにおいて、LCD１８５の液晶応答波形が、対象フレームの画素値に対応する階調にはならなくなってしまう事態を防止することが可能となる。
【０２２３】
また、オーバードライブ処理部２６１には、切替部１８２から対象フレームが入力されるタイミングで、第１乃至３の参照フレームも入力されるため、第１乃至３の参照フレームを保持するためのフレームメモリを新たに設ける必要がない。
【０２２４】
オーバードライブ処理部２６１においては、補正値生成部１４３に供給される、第１の参照フレームにおける予測フレームを、第１乃至３の参照フレームを用いて生成するようにしたが、例えば、第１乃至m(mは４以上の自然数)の参照フレームを用いて生成するようにしてもよい。
【０２２５】
補正値生成部１４３に供給される予測フレームの生成に用いられる参照フレームを多くする程に、補正値生成部１４３に供給される予測フレームは正確なものとなるため、LCD１８５の応答速度を改善させるために、より適切な表示用フレームを生成することが可能となる。
【０２２６】
上述した第２の実施の形態では、図１１に示されたように、画素生成部２０１は、動きベクトル検出部１０４からの動きベクトルMV(n-1,n)に基づいて、フレームn-2とフレームn-1との間に外挿フレームを生成するようにしたが、これに限定されない。
【０２２７】
すなわち、例えば、画素生成部２０１は、動きベクトル検出部１０４により、フレームn-2及びフレームn-1を用いて検出された動きベクトルMV(n-2,n-1)に基づいて、フレームn-2とフレームn-1との間に生成した補間フレームを保持しておき、この保持しておいた補間フレームを、外挿フレームとして、切替部８２に供給するようにしてもよい。
【０２２８】
この場合、画素生成部２０１は、動きベクトル検出部１０４からの動きベクトルMV(n-1,n)に基づいて、フレームn-2とフレームn-1との間に生成される外挿フレーム（補間フレーム）を、再度、生成する必要がなくなる。
【０２２９】
上述した第１の実施の形態では、参照画像生成部８１において、第１の動画像を、フレーム数が２倍である第２の動画像に変換して、オーバードライブ処理後の第２の動画像を、そのまま、LCD８５に出力するようにしたが、これに限定されない。
【０２３０】
すなわち、例えば、第２の動画像を構成するフレームに基づいて、立体画像を生成し、生成した立体画像に対してオーバードライブ処理を行った後に、LCD８５に出力してもよい。
【０２３１】
これらのことは、第２の実施の形態における参照画像生成部１８１についても同様のことがいえる。
【０２３２】
また、第１の実施の形態では、補正値生成部１４３において、ルックアップテーブル１４３aを用いて補正値を生成するようにしたが、例えば、対象フレーム及び参照フレームに基づいて補正値を算出することが可能な関数を用いて、補正値を生成するようにしてもよい。
【０２３３】
このことは、差分値生成部２４１及び３０１についても同様のことがいえる。
【０２３４】
さらに、第１及び第２の実施の形態では、フレームn-1とフレームnとの間に、１枚の補間フレームを生成するようにしたが、これに限定されず、フレームn-1とフレームnとの間に、２枚以上の補間フレームを生成するように構成することが可能である。
【０２３５】
次に、図１５を参照して、画素生成部２０１が、第１の動画像を４倍速により補間（フレームn-1とフレームnとの間に３枚の補間フレームを生成）しつつ、オーバードライブ処理部１８３が、その補間により得られる第２の動画像を構成するフレームに対してオーバードライブ処理を行うことを説明する。
【０２３６】
なお、画素生成部２０１は、フレームn-1とフレームnとの間に、１枚の補間フレームを生成するようにしたが、図１５を参照して行う説明では、フレームn-1とフレームnとの間に３枚の補間フレームを生成するように構成されているものとする。
【０２３７】
[４倍速補間により得られる第２の動画像]
図１５は、第１の動画像を、４倍速により補間して得られる第２の動画像を構成するフレームを示している。
【０２３８】
図１５において、白色の矩形により示されるフレームは、参照画像生成部１８１に入力された第１の動画像を構成するフレームを表している。
【０２３９】
また、黒色の矩形により示されるフレームは、画素生成部２０１により補間される補間フレームを表している。
【０２４０】
さらに、図１５に示される第１の補間フレームとは、第１の動画像を構成するフレームが時間T毎に表示される場合、フレームnが表示されるときから時間T/4だけ過去に表示されるフレームn-1/4を補間して得られるフレームを表す。
【０２４１】
また、図１５に示される第２の補間フレームとは、フレームnが表示されるときから時間2T/4だけ過去に表示されるフレームn-2/4を補間して得られるフレームを表す。
【０２４２】
さらに、図１５に示される第３の補間フレームとは、フレームnが表示されるときから時間3T/4だけ過去に表示されるフレームn-3/4を補間して得られるフレームを表す。
【０２４３】
また、図１５に示される外挿フレームとは、フレームnが表示されるときから時間5T/4だけ過去に表示されるフレームn-5/4を補間して得られるフレームを表す。
【０２４４】
画素生成部２０１は、フレームn-1及びフレームnに基づいて、フレームn-1/4を補間して得られる第１の補間フレーム、フレームn-2/4を補間して得られる第２の補間フレーム、及びフレームn-3/4を補間して得られる第３の補間フレームを生成する。
【０２４５】
また、画素生成部２０１は、フレームn-1及びフレームnに基づいて、フレームn-5/4を補間して得られる(補間フレームに対応する)外挿フレームを生成する。
【０２４６】
そして、画素生成部２０１は、生成した第１乃至第３の補間フレーム、及び外挿フレームを切替部１８２に供給する。
【０２４７】
また、画素生成部２０１は、フレームメモリ１０１を制御し、保持しているフレームnを切替部１８２に出力させるとともに、フレーム１０３を制御し、保持しているフレームn-1を切替部１８２に出力させる。
【０２４８】
切替部１８２は、あるタイミングにおいて、画素生成部２０１からの外挿フレームを、第２の参照フレームとし、フレームメモリ１０３からのフレームn-1を第１の参照フレームとし、画素生成部２０１からの第３の補間フレームを対象フレームとして、オーバードライブ処理部１８３に供給する。
【０２４９】
そして、次のタイミングにおいて、切替部１８２は、フレームメモリ１０３からのフレームn-1を第２の参照フレームとし、画素生成部２０１からの第３の補間フレームを第１の参照フレームとし、画素生成部２０１からの第２の補間フレームを対象フレームとして、オーバードライブ処理部１８３に供給する。
【０２５０】
さらに次のタイミングにおいて、切替部１８２は、画素生成部２０１からの第３の補間フレームを第２の参照フレームとし、画素生成部２０１からの第２の補間フレームを第１の参照フレームとし、画素生成部２０１からの第１の補間フレームを対象フレームとして、オーバードライブ処理部１８３に供給する。
【０２５１】
その後、さらに次のタイミングにおいて、切替部１８２は、画素生成部２０１からの第２の補間フレームを第２の参照フレームとし、画素生成部２０１からの第１の補間フレームを第１の参照フレームとし、フレームメモリ１０１からのフレームnを対象フレームとして、オーバードライブ処理部１８３に供給する。
【０２５２】
オーバードライブ処理部１８３は、切替部１８２からの第１及び第２の参照フレームを参照しながら、切替部１８２からの対象フレームに対するオーバードライブ処理を行い、その結果得られる表示用フレームを、タイミングコントローラ１８４に供給する。
【０２５３】
タイミングコントローラ１８４は、オーバードライブ処理部１８３からの表示用フレームを、所定のタイミングでLCD１８５に供給して表示させる。
【０２５４】
また、第１及び第２の実施の形態では、第１の動画像を構成するフレームのうち、時間的に１フレーム分だけ異なるフレームn-1及びフレームnを用いて、フレームn-1とフレームnとの間に補間される補間フレーム、及びフレームn-1よりも過去のフレームとして外挿フレームを生成するようにしたが、これに限定されない。
【０２５５】
すなわち、例えば、第１の動画像を構成するフレームのうち、時間的にmフレーム（mは２以上の自然数）分だけ異なるフレームn-mとフレームnとを用いて、フレームn-mとフレームnとの間に補間される補間フレーム、及びフレームn-mよりも過去のフレームとして外挿フレームを生成して、第１及び第２の実施の形態において説明したオーバードライブ処理を行うようにしてもよい。
【０２５６】
なお、画像処理装置６１及び１６１としては、例えば、ホールド型のディスプレイに画像を表示させるパーソナルコンピュータ等を採用することが可能である。
【０２５７】
次に、上述した一連の処理は、専用のハードウエアにより実行させることもできるし、ソフトウエアにより実行させることもできる。一連の処理をソフトウエアにより実行させる場合には、そのソフトウエアを構成するプログラムが、いわゆる組み込み型のコンピュータ、または、各種のプログラムをインストールすることで、各種の機能を実行することが可能な、例えば汎用のパーソナルコンピュータなどに、記録媒体からインストールされる。
【０２５８】
[コンピュータの構成例]
図１６は、上述した一連の処理をプログラムにより実行するパーソナルコンピュータの構成例を示している。
【０２５９】
CPU（Central Processing Unit）３４１は、ROM（Read Only Memory）３４２、または記憶部３４８に記憶されているプログラムに従って各種の処理を実行する。RAM（Random Access Memory）３４３には、CPU３４１が実行するプログラムやデータなどが適宜記憶される。これらのCPU３４１、ROM３４２、およびRAM３４３は、バス３４４により相互に接続されている。
【０２６０】
CPU３４１にはまた、バス３４４を介して入出力インタフェース３４５が接続されている。入出力インタフェース３４５には、キーボード、マウス、マイクロホンなどよりなる入力部３４６、ディスプレイ、スピーカなどよりなる出力部３４７が接続されている。CPU３４１は、入力部３４６から入力される指令に対応して各種の処理を実行する。そして、CPU３４１は、処理の結果を出力部３４７に出力する。
【０２６１】
入出力インタフェース３４５に接続されている記憶部３４８は、例えばハードディスクからなり、CPU３４１が実行するプログラムや各種のデータを記憶する。通信部３４９は、インターネットやローカルエリアネットワークなどのネットワークを介して外部の装置と通信する。
【０２６２】
また、通信部３４９を介してプログラムを取得し、記憶部３４８に記憶してもよい。
【０２６３】
入出力インタフェース３４５に接続されているドライブ３５０は、磁気ディスク、光ディスク、光磁気ディスク、或いは半導体メモリなどのリムーバブルメディア３５１が装着されたとき、それらを駆動し、そこに記録されているプログラムやデータなどを取得する。取得されたプログラムやデータは、必要に応じて記憶部３４８に転送され、記憶される。
【０２６４】
コンピュータにインストールされ、コンピュータによって実行可能な状態とされるプログラムを記録する記録媒体は、図１６に示されるように、磁気ディスク（フレキシブルディスクを含む）、光ディスク（CD-ROM(compact disc-read only memory),DVD(digital versatile disc)を含む）、光磁気ディスク（ＭＤ（mini-disc）を含む）、もしくは半導体メモリなどよりなるパッケージメディアであるリムーバブルメディア３５１、または、プログラムが一時的もしくは永続的に記録されるROM３４２や、記憶部３４８を構成するハードディスクなどにより構成される。記録媒体へのプログラムの記録は、必要に応じてルータ、モデムなどのインタフェースである通信部３４９を介して、ローカルエリアネットワーク、インターネット、デジタル衛星放送といった、有線または無線の通信媒体を利用して行われる。
【０２６５】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２６６】
また、本実施の形態は、上述した第１及び第２の実施の形態に限定されるものではなく、本発明の要旨を逸脱しない範囲において種々の変更が可能である。
【符号の説明】
【０２６７】
６１  画像処理装置，  ８１  参照画像生成部，  ８２  切替部，  ８３  オーバードライブ処理部，  ８４  タイミングコントローラ，  ８５  LCD，  １０１  フレームメモリ，  １０２  フレーム遅延部，  １０３  フレームメモリ，  １０４  動きベクトル検出部，  １０５  画素生成部，  １４１,１４２  ガンマ補正部，  １４３  補正値生成部，  １４３a  ルックアップテーブル，  １４４  加算部，  １６１  画像処理装置，  １８１  参照画像生成部，  １８２  切替部，  １８３  オーバードライブ処理部，  １８４  タイミングコントローラ，  １８５  LCD，  ２０１  画素生成部，  ２２１,２２２  ガンマ補正部，  ２２３  予測値生成部，  ２４１  差分値生成部，  ２４１a  ルックアップテーブル，  ２４２  加算部,  ２６１  オーバードライブ処理部，  ２８１  ガンマ補正部，  ２８２  予測値生成部，  ３０１  差分値生成部，  ３０１a  ルックアップテーブル，  ３０２  加算部
【図１】
2010261985.tif 000003
【図２】
2010261985.tif 000004
【図３】
2010261985.tif 000005
【図４】
2010261985.tif 000006
【図５】
2010261985.tif 000007
【図６】
2010261985.tif 000008
【図７】
2010261985.tif 000009
【図８】
2010261985.tif 000010
【図９】
2010261985.tif 000011
【図１０】
2010261985.tif 000012
【図１１】
2010261985.tif 000013
【図１２】
2010261985.tif 000014
【図１３】
2010261985.tif 000015
【図１４】
2010261985.tif 000016
【図１５】
2010261985.tif 000017
【図１６】
2010261985.tif 000018